Podtech/llm-jp-corpus-v4-ja_patent huggingface dataset:
(57)【要約】      （修正有）【課題】ゴルフをする際のゴルフマーカーやバッチ・メダルに、低角度への反射光を得るための高反射ホログラム機能付き記章を提供する。【解決手段】ホログラムフィルムを接着したアルミ箔を連続した四角錐状に成形した後に金属板に接着し、表面に紫外線硬化樹脂を設ける。【選択図】図１
0003165485.tif 000002
【実用新案登録請求の範囲】
【請求項１】
ホログラム層を接着したアルミ箔を連続した四角錐状に成形し、記章表面にクリアー層を設けて接着することを特徴とする高反射ホログラム機能付き記章。
【考案の詳細な説明】
【技術分野】
【０００１】  本考案は、ゴルフのグリーン場で使用するマーカーやバッチ・メダル等に、低角度への反射光を得るための高反射ホログラム機能付きの記章に関するものである。
【背景技術】
【０００２】  従来、バッチやメダルおよびゴルフマーカーは、偏光の反射光を得るために、表側にホログラムシートを平面的に付着して使用していた。
【考案の開示】
【考案が解決しようとする課題】
【０００３】  そのために欠のような欠点があった。
（イ）ホログラムによる反射光は、低い角度からの視認性が悪く、明るく奇麗に見えない欠点があった。
本考案は、以上の欠点を解決するためになされたものである。
【課題を解決するための手段】
【０００４】  ホログラム層を接着したアルミ箔を連続した四角錐状に成形し、記章表面にクリアー層を設けて接着しすることを特徴とする高反射ホログラム機能付き記章である。
【考案の効果】
【０００５】  従来の平面ホログラムシートでは得られない低い角度への反射光を有することにより、記章横方向からのホログラムによる偏光反射光の視認性が向上し、記章のデザイン性の向上を可能とした。
【考案を実施するための最良の形態】
【０００６】  以下、本考案の実施の形態について説明する。
（イ）ホログラム層（１）とアルミ箔（２）を接着し、連続した凸型四角錐状のホログラムシート（３）を成形する。
（ロ）記章の基板（４）に成形されたホログラムシート（３）を接着し、ホログラムシート（３）上面にクリアー層（５）を設ける。
本考案は以上のような構造で、ゴルフマーカーやバッチ・メダルにこれを応用する。
【実施例】
【０００７】  ホログラムシート（３）上面にカラー層（６）を接着し、カラー層（６）上面にクリアー層（５）を設けることにより、着色された偏光反射光が得られる記章の製作も可能となる。さらにクリアー層（５）上面に文字やロゴ等の印刷層（８）を付加することにより、デザイン性を向上させることも可能である。
【図面の簡単な説明】
【０００８】
【図１】本考案の分解斜視図
【図２】本考案の断面構造図
【図３】本考案の実施例を示す断面構造図
【符号の説明】
【０００９】  １  ホログラム層
２  アルミ箔
３  ホログラムシート
４  基板
５  クリアー層
６  第二クリアー層
７  カラー層
８  接着層
９  印刷層
【図１】
0003165485.tif 000003
【図２】
0003165485.tif 000004
【図３】
0003165485.tif 000005
【手続補正書】
【提出日】平成22年10月26日(2010.10.26)
【手続補正１】
【補正対象書類名】実用新案登録請求の範囲
【補正対象項目名】全文
【補正方法】変更
【補正の内容】
【実用新案登録請求の範囲】
【請求項１】
ホログラムフィルムを接着したアルミ箔を連続した四角錐状に成形した後に金属板に接着し、表面に紫外線硬化樹脂を設けたことを特徴とする高反射ホログラム機能付き記章。
【手続補正２】
【補正対象書類名】明細書
【補正対象項目名】全文
【補正方法】変更
【補正の内容】
【考案の詳細な説明】
【技術分野】
【０００１】  本考案は、ゴルフのグリーン場で使用するマーカーやバッチ・メダル等に、低角度への反射光を得るための高反射ホログラム機能付きの記章に関するものである。
【背景技術】
【０００２】  従来、バッチやメダルおよびゴルフマーカーは、偏光の反射光を得るために、表側にホログラムフィルムを平面的に接着して使用していた。
【考案の開示】
【考案が解決しようとする課題】
【０００３】  そのために欠のような欠点があった。（イ）ホログラムによる反射光は、低い角度からの視認性が悪く、明るく奇麗に見えない欠点があった。  本考案は、以上の欠点を解決するためになされたものである。
【課題を解決するための手段】
【０００４】  ホログラムフィルムを接着したアルミ箔を連続した四角錐状に成形した後に金属板に接着し、表面に紫外線硬化樹脂を設けたことを特徴とする高反射ホログラム機能付き記章である。
【考案の効果】
【０００５】  従来の平面ホログラムフィルムでは得られない低い角度への反射光を有することにより、記章横方向からのホログラムによる偏光反射光の視認性が向上し、記章のデザイン性の向上を可能とした。
【考案を実施するための最良の形態】
【０００６】  以下、本考案の実施の形態について説明する。（イ）ホログラムフィルム（１）とアルミ箔（２）を接着し、連続した凸型四角錐状のホログラムシート（３）を成形する。（ロ）記章の基板となる金属板（４）に成形されたホログラムシート（３）を接着し、ホログラムシート（３）上面に紫外線硬化樹脂（５）を設ける。  本考案は以上のような構造で、ゴルフマーカーやバッチ・メダルにこれを応用する。
【実施例】
【０００７】  ホログラムシート（３）上面にカラーフィルム（６）を付着し、カラーフィルム（６）上面に紫外線硬化樹脂（５）を設けることにより、着色された偏光反射光が得られる記章の製作も可能となる。さらに紫外線硬化樹脂（５）上面に文字やロゴ等の印刷層（９）を付加することにより、デザイン性を向上させることも可能である。
【図面の簡単な説明】
【０００８】
【図１】本考案の分解斜視図
【図２】本考案の断面構造図
【図３】本考案の実施例を示す断面構造図
【符号の説明】
【０００９】１  ホログラムフィルム２  アルミ箔３  ホログラムシート４  金属板５  紫外線硬化樹脂６  第二紫外線硬化樹脂７  カラーフィルム８  接着剤９  印刷層
【手続補正３】
【補正対象書類名】図面
【補正対象項目名】全図
【補正方法】変更
【補正の内容】
【図１】
0003165485.tif 000006
【図２】
0003165485.tif 000007
【図３】
0003165485.tif 000008
(57)【要約】【課題】    木造住宅用階段の踏み鳴り音を防止する。【解決手段】木造住宅用階段の踏板とこれに垂直に配置される蹴板とを備える木造住宅用の階段を補強する木造住宅用階段の補強プレートであって、前記踏板の裏面に当てがわれる平鋼板と平鋼板の２２センチメートルの所から直角に垂下されて蹴板に当てがわれる垂直鋼板とからなる。【選択図】  図1
0003165580.tif 000002
【実用新案登録請求の範囲】
【請求項１】
木造住宅用階段の踏板とこれに垂直に配置される蹴板とを備える木材住宅用の階段を補強する、木造住宅用階段の補強プレートであって前記踏板の裏面に当てがわれる平鋼板と前記平鋼板の端から直角に垂下されて蹴板に当てがわれる垂直鋼板とからなる木造住宅用階段のＬ字型補強プレート。
【考案の詳細な説明】
【技術分野】
【０００１】
本考案は、木造住宅の階段に用いられ、その補強を行うためのＬ字型補強プレートである。
【背景技術】
【０００２】
木造住宅の階段の踏み鳴りの要因の一つは、踏板の裏面に７ミリメートル角の溝がありその溝に蹴板を差し込んで釘（スクリューネイル）で止める仕様となにっており、図5符合7の部分が指摘する所である。また、蹴板の表面には合成樹脂が塗装されているため、階段を組み立てる時に木工ボンドを使用するが、合成樹脂にはボンドの効果は少なく、昇り降りの振動によって分離する。
【先行技術文献】
【特許文献】
【０００３】
【特許文献１】特開平７−３４６２８号公報
【考案の開示】
【考案が解決しようとする課題】
【０００４】
そのために階段の施工方法によるものと、振動や住宅が古くなり次第と踏板と蹴板との連結がゆるみ、踏板と蹴板の擦り合いによる踏み鳴りが発生する問題がある。そこで、上記課題に鑑みて本考案の目的は、木造住宅用階段の踏み鳴り音を防止する為の、補強プレートを指定の木ネジで締めれば踏み鳴り防止が可能である。
【課題を解決するための手段】
【０００５】
木造住宅用階段の踏板とこれに垂直に配置される蹴板とを備える、木造住宅用の階段を補強する木造住宅用階段の、補強プレートであって踏板の裏面に当てがわれる平鋼板と、前記平鋼板の端から垂下されている蹴板の裏面に当てがわれる垂直鋼板とからなる、Ｌ字型木造住宅用階段の補強プレートである。
【考案の効果】
【０００６】
従来の施工に加えて、踏板と蹴板とをＬ字型補強プレートを指定の木ネジで固定する事により、踏み鳴りを完全に阻止できる。
【考案を実施するための最良の形態】
【０００７】
本考案の図1の符号２０がＬ字型補強プレートである。
図1及び図2に示す様にＬ字型補強プレートは、平鋼板1と垂直鋼板3とを備える。平鋼板1は踏板の裏面に当てがわれる鋼板であり、例えば２２センチメートルの長さで５センチメートルの幅と２ミリメートルの厚みを有する垂直鋼板3は蹴板の裏面に当てがわれる鋼板であり、図1及び図2に示すようにラケット型に形成される平鋼板1の端から垂直方向に垂下して連結される垂直鋼板3の長さは、例えば２０センチメートルで形成され図1及び図2に示すように、先端側が拡幅したラケット部分１０となっている。また、平鋼板1及び垂直鋼板3にはビス穴２が貫通形成される。
【実施例】
【０００８】
前記に基づいて更に図７の垂直鋼板3を木ネジ１２で締めたもので図４のラケット部分は多穴式になっており、階段の高さによって位置が異なる。締める際は必ず上、下、左、右、交互に締める。その理由は踏板の材質が積層材や圧縮板等で出来ているので、横並びに締めると横割れの原因となる。階段にも直線型、回り階段、折返し階段と多種に及び、一例として回り階段の場合は、踏板が三角形になるので、中心から内回りの平鋼板1の長さを１５センチメートル、外回りの平鋼板1の長さを２９センチメートルとする図1を標準型Ｍとし、内回り側の平鋼板1をＳ型、外回り側をＯ型との名称にする。よって階段次第では、３種類のＬ字型補強プレートを使用することになる。
【産業上の利用可能性】
【０００９】
木造住宅の建築を行なう時は、建築法に定められた金物やプレートボールト等を使用する。それは構造上の問題であって、本考案の鋼板による木造住宅用階段の補強プレートは、法定には関係なく使用が可能である。
木造住宅用階段の鋼材によるＬ字型補強プレートの出願を望む次第です。
（公報を調べた結果、類似品も無い）
【図面の簡単な説明】
【００１０】
【図１】Ｌ字型補強プレートの斜視図
【図２】Ｌ字型補強プレートの平面図（Ａ）、正面図（Ｂ）、側面図（Ｃ）
【図３】図1の使用状態を説明する斜視図
【図４】図1の符号１０のラケット部分を拡大した平面図である
【図５】Ｌ字型補強プレートを踏板の裏面と蹴板の垂直面に使用した状態を示す
【図６】Ｌ字型補強プレートの使用状態を説明する背面図である
【図７】階段の踏板符号４の前部と踏板４の後部とをＬ字型補強プレートで連結した側面拡大図である
【符号の説明】
【００１１】
１  平鋼板
２  ビス穴
３  垂直鋼板
４  踏板
５  蹴板
６  補強コンパネ
７  連結部分
８  階段側板
９  スクリューネイル
１０  ラケット部分
１１  蹴板受桟木
１２  木ネジ（ビス）
２０  木造住宅用階段のＬ字型補強プレート
【図１】
0003165580.tif 000003
【図２】
0003165580.tif 000004
【図３】
0003165580.tif 000005
【図４】
0003165580.tif 000006
【図５】
0003165580.tif 000007
【図６】
0003165580.tif 000008
【図７】
0003165580.tif 000009
(57)【要約】【課題】防虫、防腐、通気性を備えたベッド天板の提供。【解決手段】組立フレーム１０、複数片の細長板２０から構成され、細長板は複数の通気孔２２、固定孔２１を備え、組立フレーム上に置いて、固定孔から組み立てフレームの対応する固定孔１１にネジにより締結、固定して大面積の板体を形成する。外板体をベッド外枠上にに設置して使用する。折り畳みが簡易で、通気性、耐久性に優れたベッド天板となるほか、設置棚用などの用途に適する。【選択図】図１
0003165522.tif 000002
【実用新案登録請求の範囲】
【請求項１】
組立フレームおよび該組み立てフレーム上に固定される複数の細長板から構成され、
細長板は、プラスチック製であって、複数の通気孔を設けると共に組み立てフレームに固定する固定孔を備え、
組立フレームは、細長板の固定孔に対応する該固定孔を設け、
細長板を該組み立てフレーム上に載置して、それぞれの固定孔によりネジ釘で締結、固定して大面積の板体とすることを特徴とする板体構造。
【請求項２】
前記複数の細長板と組立フレームから構成される板体は、ベッド外枠上に組立てて、その板体上にベッドスプリングを設置してベッド天板とすることを特徴とする請求項１記載の板体構造。
【考案の詳細な説明】
【技術分野】
【０００１】
本考案は、板体構造に関するもので、板体を複数片の細長板で構成する。細長板は通気孔を備え、且つプラスチックから製造し、通気、耐久性、簡便な折り畳みの効果を備える。
【背景技術】
【０００２】
ベッドの天板にとして、公知のベッド天板は、多くは、「木板」、或いは「金属板」から構成される。木板は製造加工過程に於いて、化学薬品で処理し、木の色や艶を保ち、防虫、防腐処理を施す。
【先行技術文献】
【特許文献】
【０００３】
【特許文献１】特開２０００−１０２４５２号公報
【特許文献２】特開２００２−６５４０１号公報
【考案の概要】
【考案が解決しようとする課題】
【０００４】
解決しようとする問題点として、木板は化学薬品が残留し、健康に害を及ぼしやすく、且つ木板は湿気を吸収するため、カビが発生しやすく、耐久性にも劣る。また、木板は樹木を伐採して製造するため、環境保護の面からも問題があり、他方、金属板は重すぎ、価格も高くなってしまう点である。
【課題を解決するための手段】
【０００５】
本考案は、組立フレーム、複数片の細長板から構成される。細長板は複数の通気孔、固定孔を備え、組立フレームに固定して大面積の板体を形成する。板体をベッド外枠に設置し、折り畳みが簡易で、通気性、耐久性に優れたベッド天板を達成する。また、その他の用途として使用してもよく、用途が広がり、実用性が向上することを最も主要な特徴とする。
【考案の効果】
【０００６】
本考案の板体構造は、防虫、防腐、通気性に優れた効果を備える。該板体はベッド天板として使用し、耐久性に優れ、衛生的で、通気性が良いという利点がある。
【図面の簡単な説明】
【０００７】
【図１】本考案の立体分解図である。
【図２】本考案の組立立体図である。
【図３】本考案の組立断面図である。
【図４】本考案のベッド外枠をベッド天板として使用した指示図である。
【考案を実施するための形態】
【０００８】
本考案が上述公知の欠点を改善する。主な技術的な構成として、プラスチックで製造された細長板を設置し、該細長板には通気孔を貫設する。複数片を組み立てて組立フレーム上に設置し、大面積の板体を形成する。これらによって、防虫、防腐、通気性に優れた効果を備える。該板体はベッド天板として使用し、耐久性に優れ、衛生的で、通気性が良い。
【実施例】
【０００９】
図１、２、３に示すとおり、複数片の細長板２０、組立フレーム１０から構成される。細長板２０は、プラスチックで製造され、且つ複数個の通気孔２２を設置し、及び固定孔２１を備える。組立フレーム１０には固定孔１１が設置され、ネジ釘で細長板２０、組立フレーム１０の固定孔１１を合わせて締結、固定し、各細長板２０を組立フレーム１０上に組み立てて大面積の板体１００を形成する。
【００１０】
上述構造の板体１００は、ベッド天板の用途に使用される。図４に示すのは、細長板２０から構成される板体１００二組をベッド外枠３０に設置することで、ベッドが成形され、その上にスプリングを置く。これらの利点として、(１)細長板２０はプラスチックで製造され、プラスチックは丈夫で耐久性に優れる。(２)プラスチックの細長板２０は湿気を吸わないため、防虫効果を備え、耐久性だけでなく、虫の発生を防ぎ、衛生的である。(３)プラスチックの細長板２０は樹木を伐採する必要がなく、且つプラスチックは回収して再利用できるので、環境保護に役立つ。(4)細長板２０には通気孔２２を貫設し、通気効果が良い。(5)全体がネジ釘だけで締結、固定しているため、組立及び解体が簡易で時間がかからない。(6)ベッド天板の用途だけでなく、その他の置物棚としての用途も可能である。
【００１１】
上述のとおり、本考案の構造は、実用性とその効果を備えるため、実用新案登録の要旨に符合し、ここに申請する。
【産業上の利用可能性】
【００１２】
ベッド天板として使用するだけでなく、置物棚としての用途にも適用できる。
【符号の説明】
【００１３】
１０        組立フレーム
１１        固定孔
２０        細長板
２１        固定孔
２２        通気孔
３０        ベッド外枠
１００        板体
【図１】
0003165522.tif 000003
【図２】
0003165522.tif 000004
【図３】
0003165522.tif 000005
【図４】
0003165522.tif 000006
(57)【要約】      （修正有）【課題】充分な熱量を確保でき、移動の簡便性が高く、広い用途で温水の供給ができる給湯装置を提供する。【解決手段】移動可能な枠に灯油湯沸かし器、燃料タンク、ポンプを内設する。【選択図】図２
0003165504.tif 000002
【実用新案登録請求の範囲】
【請求項１】
移動可能な枠に灯油湯沸かし器、燃料タンク、ポンプを内設して、水道水及び貯め水の双方で湯を供給できる移動式灯油給湯装置。
【考案の詳細な説明】
【技術分野】
【０００１】本考案は、エスカレーター踏み段洗浄、建築物の床面洗浄のおける濯ぎ洗いに使用できる移動式給湯装置に関する。更に、本考案はオートキャンプ、海水浴場等に使用する簡易シャワー、在宅入浴介護のおける浴槽の給湯、及び災害時における給湯に利用できる。
【背景技術】
【０００２】移動式給湯装置としてはキャスターにより移動自在とし筺体、ヒーター式湯沸槽、貯水槽、出湯用蛇口を備えたもので、展示場等での茶等の接待を容易にしたもの。又キャスターにより移動自在とし架台に電気温水器、シャワーホルダーとシャワーヘッド、シャワー水栓等を一体に組み込み、これに給水ホースを連結して、温水シャワー浴を手軽に使えるようにしたものである。
【先行技術文献】
【特許文献】
【０００３】
【特許文献１】特許公開２００１−３１７８０８
【非特許文献】
【０００４】
【非特許文献１】実用新案公開平５−１０９４３
【非特許文献２】実用新案公開平７−４１３５２
【考案の概要】
【考案が解決しようとする課題】
【０００５】しかし、上記従来の移動式給湯装置は、熱源を電気ヒーターによるものとプロパンガスによるものであり、電気ヒーター式のものは少量の給湯には適するが、シャワー及び浴槽へ給湯する場合、多くの電力容量を移動先で確保する必要があり移動式給湯装置としては適さないものである。プロパンガスによる熱源は充分な熱量が確保できるが、ガス漏れが目視出来ない為危険性を感じるものであった。
又、ガスの補充が容易でなく不便が生じていた。【０００６】水の供給においても水道水、及び給湯装置上部に貯水槽を設ける構造のものであり、給湯装置より下部にある貯水に対応していない為、不便が生じていた。
【課題を解決するための手段】
【０００７】本考案はかかる課題を解決するもので、熱源を灯油式にすることにより大容量の電源は必要とせず又、プロパンガスによるガス漏れ、ガス爆発の心配は無く、燃料の供給も灯油の為、どこでも容易に入手出来るものである。【０００８】本装置の燃焼方式はガンタイプであり、即座の引火と充分な熱量の確保及び給湯温度の制御が容易であることと共に排気ガスの清浄性も優れたものである。【０００９】水の供給は水道水及び貯水によるものであるが、水中ポンプを常備しており、給湯装置より下部にある貯水からの給水ができるものである。
【考案の効果】
【００１０】以上のように、本考案の移動式給湯装置によれば、充分な熱量の確保と温度調節ができ、燃料保管が安全であり、燃料の補給が容易であり、供給する水源の自由度の高さ、移動の簡便性が高く広い用途で温水の供給ができるものである。
【図面の簡単な説明】
【００１１】
【図１】図１は本装置の構成図で正面から見た図である。
【図２】図２は貯め水からシャワーへ湯を供給する図である。
【考案を実施するための形態】
【実施例】
【００１２】貯め水から湯を供給する場合、図２の形態で示している。
水槽に水中ポンプ▲６▼を設置し、灯油給湯器▲１▼に設置してある給水口▲９▼に送水し、給湯器で加熱した湯を出湯口▲８▼よりホースで導きシャワーに使用しているものである。【００１３】水道水を利用する場合は、灯油給湯器▲１▼に設置してある給水口▲９▼に水道の蛇口からホースで給水し、給湯器で加熱した湯を出湯口▲８▼よりホースで導きシャワー、浴槽、洗浄機等に供給する。
【産業上の利用可能性】
【００１４】エスカレーター踏み段清掃は、駆動チエンからにじみ出た機械油と埃の混合物を清掃するもので、濯ぎ洗いの性能維持の為、水温５０度程度の湯が必要である。又建築物の床面洗浄においても濯ぎが重要であり、特に冬場においてワックス剥離洗浄における濯ぎ性能の増大が期待でき、ビルメンテナンス業の業務改善が図られる。【００１５】オートキャプにおけるシャワー、海水浴場で使用する簡易シャワー等レジャー産業に広く利用出来る。【００１６】老人介護におけるデイサービス用車両に搭載することにより、車両の特別な改造することなく、在宅入浴介護ができる。【００１７】地震等の自然災害において、５００ワット程度の発電機と組み合わせることにより、貯め水による給湯が可能となり、災害対策用品として利用出来る。
【符号の説明】
【００１８】▲１▼灯油給湯器
▲２▼金属製の枠
▲３▼排気口
▲４▼制御盤
▲５▼灯油タンク
▲６▼水中ポンプ
▲７▼キャスター
▲８▼出湯口
▲９▼給水口
【図１】
0003165504.tif 000003
【図２】
0003165504.tif 000004
(57)【要約】      （修正有）【課題】複数方向から使用でき、荷重バランスを考慮したカトラリーボックス用ラックを提供する。【解決手段】カトラリーボックス用ラック１はボックス取付板４を１段目２段目と階段状にずらして２枚配置し、それを側板２で左右から挟みこんだ形状を１ユニットとし、背面の隣接部に可動式蝶番３で連結し形成される。可動式蝶番は、例えばそれぞれ最大１２０°可動できるため頂点を結ぶと正三角形を形成し、任意方向から、内容物を取ることができる。側板２の形状は、重量バランスを考慮した直角三角形を形成し、１段目のみに荷重が掛かってもバランスを保ち続けることができる。また、材質はステンレスの鏡面仕上げとし、外観的にも優れたものとなっている。【選択図】図１
0003165502.tif 000002
【実用新案登録請求の範囲】
【請求項１】
ボックス取付板を１段目２段目と階段状にずらして２枚配置し、それを側板２で左右から挟みこんだ形状を１ユニットとし、背面の隣接部を可動式蝶番で連結したことを特徴とするカトラリーボックス用ラック。
【請求項２】
側板形状を、重量バランスを考慮した直角二等辺三角形で構成されたことを特徴とするカトラリーボックス用ラック。
【考案の詳細な説明】
【技術分野】
【０００１】  この考案は、ビュッフェ等の会食で用いるカトラリーボックス用ラックの形状に関するものである。
【背景技術】
【０００２】  従来のビュッフェ等の会食で用いるカトラリーボックス用ラックの形状は、図６に示すように、カトラリーボックスをセットする場所が固定されており、単一方向からの使用を想定したものである。
【考案の概要】
【考案が解決しようとする課題】
【０００３】  しかしながら、従来のカトラリーボックス用ラックは、長テーブル、カウンター等で単一方向からの使用を想定しており内容物が取りにくい虞がある。さらに１段目のみにボックスを設置した場合、バランスが不安定になる虞がある。【０００４】  この考案は、複数方向から使用でき、荷重バランスを考慮したカトラリーボックス用ラックを提供することを課題とする。
【課題を解決するための手段】
【０００５】  第一考案は、カトラリーボックス用ラックにおいて、背面に可動式蝶番を設けたことを特徴とする。【０００６】  第二考案は、カトラリーボックス用ラックにおいて、側板形状を１段目のみにボックスを設置してもバランスを保つ形状であることを特徴とする。
【考案の効果】
【０００７】  第一考案によれば、可動式蝶番を設けたことにより、丸テーブルなどカウンター頂角部など様々な場所に置くことができ、内容物を自由な角度から取ることができる。【０００８】第二考案によれば、側板形状により、バランスを保ち安定することができる。
【図面の簡単な説明】
【０００９】
【図１】  この考案の一実施形態を示す前面斜視図である。
【図２】  この考案の一実施形態を示す背面斜視図である。
【図３】  この考案の一実施形態を示す参考斜視図である。
【図４】  この考案の一実施形態にカトラリーボックスを取り付けた状態を示す斜視図である。
【図５】  この考案の一実施形態にカトラリーボックスを取り付け、可動させた状態を示す斜視図である。
【図６】  従来技術を示す斜視図である。
【考案を実施するための形態】
【００１０】  この考案の好適な実施形態を、添付図面を参照して説明する。尚、以下に説明する実施形態は、実用新案登録請求の範囲に記載された本考案の内容を限定するものではない。また、以下に説明される構成の全てが、本考案の必須条件であるとは限らない。
【実施例１】
【００１１】  図１は本考案に係る一実施例を示しており、カトラリーボックス用ラック１はボックス取付板４を１段目２段目と階段状にずらして２枚配置し、それを側板２で左右から挟みこんだ形状を１ユニットとし、背面の隣接部に可動式蝶番３を上下２個、計４個で連結し３ユニットで形成される。【００１２】  広く市場で流通しているカトラリーボックス５は、幅１２５×奥行き３００×高さ１０５（ｍｍ）であるからボックス取付板４は有効寸法幅１３０（ｍｍ）程度であることが望ましい。【００１３】  カトラリーボックス５には主にスプーン、フォーク等が入り、概ね２〜３ｋｇの荷重が掛かることが想定される。側板形状は、重量バランスを考慮した直角三角形を形成することによりバランスを安定させることができる。既述の数値を考慮した場合、底辺寸法を２８０（ｍｍ）程度とする直角二等辺三角形であることが望ましい。【００１４】  図３に示すように、各ユニットは可動式蝶番３を軸に最大で１２０°可動し、それぞれ任意の角度にすることができる。【００１５】「実施形態の効果」
図５はカトラリーボックス５をセットし可動式蝶番３を軸に１２０°づつ可動させた図である。この実施形態によれば、可動式蝶番３の働きで、各ユニットを任意に可動させることができる。したがって丸テーブルやカウンターの頂角部付近など様々な配置をすることができる。また、図４に示すように側板は、重量バランスを考慮した直角二等辺三角形を形成することにより、カトラリーボックス５を必ずしも２段に置く必要が無く、連結ユニットを閉じた状態で使用する場合、１段目だけの利用でも安定しバランスを保つことができる。
「他の実施形態」
図１の実施形態では、ユニットを可動式蝶番３で３台連結してあったが、他の実施形態では、ユニットは可動式蝶番３により３台以上連結させたものでも良い。
【符号の説明】
【００１６】１  カトラリーボックス用ラック
２  側板
３  可動式蝶番
４  ボックス取付板
５  カトラリーボックス
【図１】
0003165502.tif 000003
【図２】
0003165502.tif 000004
【図３】
0003165502.tif 000005
【図４】
0003165502.tif 000006
【図５】
0003165502.tif 000007
【図６】
0003165502.tif 000008
【手続補正書】
【提出日】平成22年10月28日(2010.10.28)
【手続補正１】
【補正対象書類名】実用新案登録請求の範囲
【補正対象項目名】全文
【補正方法】変更
【補正の内容】
【実用新案登録請求の範囲】
【請求項１】
ボックス取付板を１段目２段目と階段状にずらして２枚配置し、それを側板２で左右から挟みこんだ形状を１ユニットとし、背面の隣接部を可動式蝶番で連結したことを特徴とするカトラリーボックス用ラック。
【請求項２】
側板形状を、重量バランスを考慮した直角二等辺三角形で構成されたことを特徴とする請求項１記載のカトラリーボックス用ラック。
(57)【要約】      （修正有）【課題】動きやすく着用感がよい背裏付き上着を提供する。【解決手段】パワーストレッチ素材にてフラットな背裏仕様とする。【選択図】図１
0003165501.tif 000002
【実用新案登録請求の範囲】
【請求項１】
上着の背裏をパワーストレッチ素材にしてフラットな背裏仕様でもスムーズな動きを特徴とした背裏。
【考案の詳細な説明】
【技術分野】
【０００１】この考案は、上着の背裏をパワーストレッチ使用によりフラットな状態でも動き安く着用感が良くなります。
【背景技術】
【０００２】上着の背裏をパワーストレッチ使いにすることにより重ねやたたみ込む作業がなくなりコストダウンにもつながります。
【考案が解決しようとする課題】
【０００３】従来の背裏仕様は裏地じたいに動きがないため裏地をたたみ込むか重ね合わせて動きを持たせていましたが動きの多い表素材には問題があり、またあまり多くのユトリを取ると背中に違和感があり見た目にも美しくありませんでした。
【考案の結果】
【０００４】パワーストレッチ裏地を使用することにより背中央でフラットな状態でも動きやすく美しいシルエットを作りだせます。
【図面の簡単な説明】
【０００５】
【図１】パワーストレッチでフラットな背裏
【図２】従来の裏地でのたたみ込み及び重ねの背裏
【符号の説明】
【０００６】１０  パワーストレッチ
１１  たたみ込み
１２  重ね合わせ
１３  表地
１４  裏地
【図１】
0003165501.tif 000003
【図２】
0003165501.tif 000004
【手続補正書】
【提出日】平成22年10月28日(2010.10.28)
【手続補正１】
【補正対象書類名】実用新案登録請求の範囲
【補正対象項目名】全文
【補正方法】変更
【補正の内容】
【実用新案登録請求の範囲】
【請求項１】
パワーストレッチ素材にてフラットな背裏仕様でもスムーズな動きを特徴とした背裏付き上着。
(57)【要約】      （修正有）【課題】紙やプラスチック等製の皿の一部を切り取る事により、コップホルダーが現れる立食パーティー等に便利な多機能皿を提供する。【解決手段】多機能皿１に常時コップホルダーの穴が開いているのではなく、ミシン目４をカットして切り取り部分を取り外す事によりコップホルダーとして使用するものとした。コップホルダーを使わない時は、ミシン目４の周囲は突堤状のエンボス加工２が施されているので、薬味等を置く事ができる。コップホルダーの穴の部分は、コップ６が完全に下に抜ける事により、多機能皿１の上に置くのではなく、多機能皿１を介して手の上に置くという形をとった。それによって、多機能皿１だけを持っている時の安定感を損なわず、同じ手に多機能皿１とコップ６を置くことを可能にした。【選択図】図６
0003165511.tif 000002
【実用新案登録請求の範囲】
【請求項１】
紙、プラスチック等のミシン目４が作れるあらゆる素材に、そこを切り取るとコップホルダーが現れるミシン目４と、その周囲に突堤状のエンボス加工２を有することが特徴の多機能皿。
【考案の詳細な説明】
【技術分野】
【０００１】  本考案は、通常の皿としても使え、尚且つ、皿の一部３を切り取る事により、コップホルダーが現れ、立食パーティー等に便利な多機能皿である。
【背景技術】
【０００２】  従来からのコップホルダー付き皿は、飲み物を入れたコップを皿に載せるとどうしても不安定になる。下記特許文献。
【先行技術文献】
【特許文献】
【特許文献】特開２０１０−２０７２８０号公報
【０００３】  従来からのコップホルダー付き皿は、コップを置かない時でもすでに皿の一部に穴が開いているのでお皿としては使いにくい。下記特許文献１。
【特許文献１】特開２０１０−２０７２８０号公報
【考案の概要】
【考案が解決しようとする課題】
【０００４】  立食形式のパーティー、試食会、バーベキューなどでは、参加者は飲食用のコップと料理皿を持って懇談、移動をしなければならない。そのような時、参加者は両手にコップと料理皿を持つか、片手にそれらを持つかしなければならず、不便且つ不安定である。テーブルがある場合に食事の為にコップを置くと自分のコップがわからなくなる事もしばしばである。なお、皿に薬味（塩、ケチャップなど）を乗せたまま移動などすると、皿に広がってしまう事も解決したい。
【課題を解決するための手段】
【０００５】  本発明は上記の課題を解決する為に、皿に常時穴が開いているのではなく、コップホルダーとして使用する時だけ、ミシン目４の場所をカットしてその部分３を取り外す形にした。皿だけの用途の場合は穴が開いていないので、その場所に薬味等を置いておく事が出来る。なお、コップホルダーが現れるミシン目の周囲には突堤状のエンボス加工２が施してあり、薬味が皿全体に広がる事を防ぐ事が出来る。それに、皿の細かいミシン目４になっている場所をカットすれば、安定感のあるコップホルダーが現れる。穴の部分は、コップ下部が下に抜ける事により、皿の上に置くのではなく、皿を介して手の上に置くという形をとった。それによって、皿を持っている時の安定感を損なわず、同じ手に皿とコップを安定して置くことを可能にした。形状をシンプルにすることが出来、コストも抑えられる。
【考案の効果】
【０００６】  上記手段により、皿のみで使用する場合も、皿の上の無駄なスペースなく使用する事ができ、尚、コップと皿を同時に使用する場合も今までない安定した状態で立食等を楽しめる。
【図面の簡単な説明】
【０００７】
【図１】コップホルダーが現れる多機能皿の斜視図
【図２】コップホルダーが現れる多機能皿の断面図
【図３】コップホルダーが現れる多機能皿の断面詳細図
【図４】コップホルダーが現れる多機能皿の斜視断面図
【図５】コップホルダーが現れる多機能皿の使用事例１
【図６】コップホルダーが現れる多機能皿の使用事例２
【考案を実施するための形態】
【０００８】  図１は本発明による多機能皿１の斜視図である。この多機能皿１は、立食パーティー、試食会、バーベキューなどの立ったまま食事をしなければならない場合に好適な皿であり、紙、プラスチック等のミシン目４が作れるあらゆる素材により形成されている。
【０００９】  この多機能皿１は、食べ物を置く皿の部分と、一部にミシン目４を有し、そのミシン目の周囲に突堤状のエンボス加工２を形成されている。
【００１０】  ミシン目４は、多機能皿１に適宜の径で形成されており、この径は、使用するコップの寸法に応じて適宜に定める。また、このミシン目４の形状は円形に限定されず、適宜の形状としてもよい。
【００１１】  ミシン目４の周囲にある突堤状のエンボス加工２は、切り取り部分３を切り取らずに薬味入れとして使用する場合に、皿のこの他の部分に薬味が広がらないようにする効果がある。
【００１２】  ミシン目４をカットして、切り取り部分３を取り外すと、コップホルダーとして使用する事ができる。
【産業上の利用可能性】
【００１３】  本発明は、立食パーティー、試食会、バーベキューなど立ったまま食事をする場合において、従来に比べ安定した状態で食事が楽しめる皿である。
【符号の説明】
【００１４】１    多機能皿
２    突堤状のエンボス加工
３    切り取り部分
４    ミシン目（多機能皿に置いた薬味が皿の下に抜け落ちないような細かいもの）
５    薬味
６    コップ
【図１】
0003165511.tif 000003
【図２】
0003165511.tif 000004
【図３】
0003165511.tif 000005
【図４】
0003165511.tif 000006
【図５】
0003165511.tif 000007
【図６】
0003165511.tif 000008
(57)【要約】      （修正有）【課題】表面部上にレーザープリンター等による印刷表示が支障なく行える窓付き封筒を提供する。【解決手段】表面部２の内面側に窓用の透明フィルム４が貼られ、表面部２の透明フィルムに相対する部分５が切り取り線６に沿って切り取り可能とされ、相対する部分５が切り取られることで透明フィルム４よりなる窓が形成される。【選択図】図１
0003165516.tif 000002
【実用新案登録請求の範囲】
【請求項１】
表面部の内面側に窓用の透明フィルムが貼られ、前記表面部の前記透明フィルムに相対する部分が切り取り線に沿って切り取り可能とされ、前記相対する部分が切り取られることで前記透明フィルムよりなる窓が形成されることを特徴とする窓付き封筒。
【請求項２】
前記切り取り線の当該窓付き封筒における開放側と逆側に位置する部分の切り離し強度が大とされ、その他の部分の切り離し強度が小とされてなる請求項１記載の窓付き封筒。
【考案の詳細な説明】
【技術分野】
【０００１】  この考案は、窓付き封筒の改良に関する。
【背景技術】
【０００２】  封筒として、表面部に透明フィルムよりなる窓を備える窓付き封筒が提供されている。一方封筒表面部上に会社名等の印刷表示を行うことが一般的に行われており、窓付き封筒においても印刷表示がなされたものが提供されている。通常このような印刷表示の有る窓付き封筒は印刷業者に注文することによって得られるもので、したがって入手する際にはその量が多大なものとなる。
【考案の概要】
【考案が解決しようとする課題】
【０００３】  印刷表示の無い窓付き封筒において、マイクロコンピュータのレーザープリンターを使用して印刷することで所望量の印刷表示の有る窓付き封筒を得ることが考えられるが、その場合には印刷時に発生する熱により窓の透明フィルムが熱劣化により損傷する問題が発生する。【０００４】  この考案では、表面部上にレーザープリンターによる印刷表示が支障なく行える窓付き封筒を提供することを目的とする。
【課題を解決するための手段】
【０００５】  この考案では、表面部の内面側に窓用の透明フィルムが貼られ、前記表面部の前記透明フィルムに相対する部分が切り取り線に沿って切り取り可能とされ、前記相対する部分が切り取られることで前記透明フィルムよりなる窓が形成されることを特徴とする窓付き封筒を提供する。【０００６】  上記構成によれば、表面部上へのレーザープリンターによる印刷時において、発生する熱が表面部の相対する部分に遮られて窓形成用の透明フィルムに至ることが阻止され、透明フィルムの熱変形が発生しない。これにより窓付き封筒において表面部上への印刷が可能となる。印刷後に透明フィルムに相対する部分が切り取り線で切り取られることで、表面部上に印刷表示がなされた窓付き封筒が得られる。【０００７】  切り取り線の窓付き封筒における開放側と逆側に位置する部分の切り離し強度が大とされ、その他の部分の切り離し強度が小とされることで、逆側に位置する部分は破損しにくくなり、その他の部分は切り離しが容易になされる。これにより、切り取り線がレーザープリンター等により印刷の際に破損しにくく、かつ、印刷後における表面部の透明フィルムに相対する部分の切り取りが容易になされる窓付き封筒が得られる。
【考案の効果】
【０００８】  この考案によれば、窓付き封筒の表面部上にレーザープリンター等による印刷表示が支障なく行えるようになり、これにより、会社や個人において表面部上に印刷表示のなされた窓付き封筒が所望量得られるようになる。
【図面の簡単な説明】
【０００９】
【図１】  この考案の窓付き封筒の実施形態の正面図
【図２】  この考案の窓付き封筒の実施形態の断面図
【図３】  この考案の窓付き封筒の実施形態の要部拡大図
【図４】  この考案の窓付き封筒の実施形態の使用時の正面図
【考案を実施するための形態】
【００１０】  図１は窓付き封筒の正面図、図２は同断面図である。窓付き封筒１は紙製で、表面部２の開放側Ａと逆側Ｂの近傍上部に内面に略長方形の窓用の透明フィルム４がその周縁において貼られ、表面部２にはその透明フィルム４の周縁位置の外周位置に切り取り線６が設けられている。
【００１１】  上記構成により、表面部２の透明フィルム４に相対する部分５が切り取り線６に沿って切り取り可能とされ、切り取られることで窓付き封筒１は透明フィルム４よりなる窓８（図４参照）が形成されて通常の窓付き封筒と同様の形態となる。上記切り取り線６は、図３に示すように、逆側Ｂに沿って位置するＸ部分の切り込み６ａが短くして設けられ、その他の３つのＹ部分は切り込み６ａが長く形成されている。
【００１２】  窓付き封筒１は、図１に示す表面部２の透明フィルム４に相対する部分５が切り取られていない状態においてレーザープリンターによりその表面部２上に印刷がなされる。その印刷に際しては、窓付き封筒１は逆側Ｂからレーザープリンター内に挿入される。開放側Ａからレーザープリンター内に挿入された場合には、開放側Ａにある開き片９がレーザープリンター内で折れ曲がる等の問題が生じる。
【００１３】  その挿入時には窓付き封筒１の先端近傍部分（逆側Ｂ）に巻き込みに伴う変形力が大きくかかり、そこにある切り取り線６のＸ部分が破損する恐れがあるが、そのＸ部分は上記のように切り込み６ａが短くして設けられていることで切り離し強度が大とされているので、破損が回避されるようになっている。切り取り線６のその他のＹ部分のそれぞれは切り込み６ａが長く形成されていることで、切り離しが容易に行われるようになっている。
【００１４】  レーザープリンターにより印刷がなされた窓付き封筒１において表面部２の相対する部分５が切り取り線６に沿って切り取られ、図４に示すように、透明フィルム４よりなる窓８を備え、かつ、表面部２上に印刷表示１０がなされた窓付き封筒１が得られる。
【００１５】  レーザープリンターを使用して同条件において印刷実験をした結果、従来一般の窓の透明フィルムが露呈する窓付き封筒では透明フィルムに熱による溶融や皺の発生が見られたが、この考案の窓付き封筒１においては窓８の透明フィルム４にそのような熱変形が見られなかった。これは印刷時において発生する熱が表面部２の相対する部分５に遮られて透明フィルム４に至らなかったことによるものと考えられる。
【００１６】  上記相対する部分５の切り取りは、切り取り線６の角のＺ部分を起こし持って切り離しが容易なＹ部分それぞれに沿って切り離し、さらにＸ部分を切り離すことでスムーズになされる。
【符号の説明】
【００１７】１  窓付き封筒
２  表面部
４  透明フィルム
５  相対する部分
６  切り取り線
８  窓
【図１】
0003165516.tif 000003
【図２】
0003165516.tif 000004
【図３】
0003165516.tif 000005
【図４】
0003165516.tif 000006
(57)【要約】      （修正有）【課題】消しカス捕集体に装着の、摩擦帯電性絶縁部材の整形片からなる摩擦吸着部を、手動で摩擦し、発生する静電気の吸着力を利用した鉛筆黒鉛の消しカスの捕集グッズを提供する。【解決手段】鉛筆書きの絵や、文字を、プラスチック字消し５で消去すると、紙面や、周辺に消しカスが散乱する。消しカス捕集体４の摩擦吸着部７を、書き込み中のノート等の紙面の任意な部分と擦り合せ、充分に帯電させる。これにより、摩擦吸着部７には、静電気による吸引力が生じる。次に、散乱している消しカスに摩擦吸着部７を近づけると、消しカスが一瞬で吸い寄せられ、捕集される。消しカスが付着した摩擦吸着部７を消しカス収集器の刷毛に押し当てブラッシングを行い、消しカスを、容器内へ払い落とし収集する。【選択図】図１
0003165520.tif 000002
【実用新案登録請求の範囲】
【請求項１】
プラスチック字消しの消しカスを捕集する消しカス捕集体において、両端開口の長方形のスリーブの中央部に間仕切り壁を設け、左右それぞれに格納部を形成した消しカス捕集体を構成し、左右いずれか一方の格納部に、プラスチック字消しを装着し、他方の格納部には、摩擦帯電性絶縁材の整形片を、一部露出のまま挿入装着して、この一部露出部分を摩擦吸着部とし、この消しカス捕集体とは別に、上端が開口の円筒形等の容器を用い、容器の内底に刷毛を設けた消しカス収集器を形成し、この消しカス捕集体と消しカス収集器の組合せからなることを特徴とする消しカスの捕集グッズ。
【考案の詳細な説明】
【技術分野】
【０００１】  本考案は、消しカス捕集体に装着の、摩擦帯電性絶縁部材の整形片からなる摩擦吸着部を、手動で摩擦し、発生する静電気の吸着力を利用した鉛筆黒鉛の消しカスの捕集に関する。
【背景技術】
【０００２】  鉛筆書きの絵や、文字の消去に使用するプラスチック字消しから生じた、消しカスの収集処理にはいくつかの手段があり、電動式のクリーナによる吸引や、手動作の回転ブラシによる掻き集め方法の他、粘着性のローラーで押付け吸着する方法等がある。又、帯電体とゴミ袋を組合せた静電ゴミ取りがある。（特許文献１参照）
【特許文献１】  特開平０８−３０９３０３号広報
【考案の概要】
【考案が解決しようとする課題】
【０００３】  電動式のクリーナによる吸引清掃は、モーターの回転音などの騒音により、静粛性を求められる事務所や、図書館等の公衆の場所での使用は、時に制限される。又、刷毛や、ブラシによる掻き集めは、微細なカスの収集に充分な効果が得られない。ローラーを回転させながら、消しカスをくっつけて収集する方法についても、取り残し等の問題が指摘されている。
【課題を解決するための手段】
【０００４】  プラスチック字消しの消しカスを捕集する消しカス捕集体において、両端開口の長方形のスリーブの中央部に間仕切り壁を設け、左右それぞれに格納部を形成した消しカス捕集体を構成し、左右いずれか一方の格納部に、プラスチック字消しを装着し、他方の格納部には、摩擦帯電性絶縁材の整形片を、一部露出のまま挿入装着して、この一部露出部分を摩擦吸着部とする。この消しカス捕集体とは別に、上端が開口の円筒形等の容器を用い、容器の内底に刷毛を設けた消しカス収集器を形成する。この消しカス捕集体と消しカス収集器の組合せからなることを特徴とする消しカスの捕集グッズ。
【考案の効果】
【０００５】  静電気による吸引力を利用するので、微細な消しカスも問題なく捕集できる他、騒音の発生もないので場所を選ばず、安心して使用でき又、帯電のための摩擦の相手方として、特別なものを必要とせず、手元にある現物紙面が利用できるので、便利なうえ、安価に使うことができる。
【図面の簡単な説明】
【０００６】
【図１】  本発明の実施例を示す図面
【図２】  本発明の別の実施例を示す図面
【考案を実施するための形態】
【０００７】（イ）  両端が開口の長方形のスリーブ（１）の中央部に、間仕切り壁（２）を設けて、左右それぞれに格納部（３）を形成した消しカス捕集体（４）を構成する。
（ロ）  次に、左右いずれか一方の格納部（３）に、プラスチック字消し（５）を挿入装着する。
（ハ）  他方の格納部（３）には、摩擦帯電性の優れた部材からなる整形片（６）を一部露出のまま挿入装着する。
（ニ）  そして、この整形片（６）の露出部は、静電気帯電の摩擦部であると共に、摩擦によって生じた吸引力を用いる摩擦吸着部（７）とする。
（ホ）  更に、上端が開口の円筒形等の容器（８）を用い、内底部分に刷毛（９）を設けた消しカス収集器（１０）を形成する。
本考案は、以上のような構成からなる消しカス捕集グッズである。
【実施例】
【０００８】        以下、本考案の実施の形態を図１、図２を用いて説明する。
（イ）  鉛筆書きの絵や、文字を、プラスチック字消し（５）で消去すると、紙面や、周辺に消しカスが散乱する。
（ロ）  消しカス捕集体（４）の摩擦吸着部（７）を、書き込み中のノート等の紙面の任意な部分と擦り合せ、充分に帯電させる。
これにより、摩擦吸着部（７）には、静電気による吸引力が生じる。
（ハ）  次に、散乱している消しカスに摩擦吸着部（７）を近づけると、消しカスが一瞬で吸い寄せられ、捕集される
（ニ）  消しカスが付着した摩擦吸着部（７）を消しカス収集器（１０）の刷毛（９）に押し当てブラッシングを行い、消しカスを、容器（８）内へ払い落とし収集する。
以上のように、プラスチック字消し（５）の使用から始まり、摩擦吸着部（７）による消しカスの捕集及び、消しカス収集器（１０）への収集に至るまで、一連の作業をスムーズに行うことができる。
（ホ）  上述の摩擦帯電性の部材については、摩擦吸着部（７）の擦りにより、相手方の表面に傷つけることのないように、柔軟で、滑らかな動きが望まれ、例えば、市場性も豊かで、整形が容易な、ポリエチレンや、ウレタン、ビニール等のスポンジ性状の素材を採用すると、コスト的にも有益である。
（ヘ）  又、消しカス収集器（１０）については、内部に消しカスを払い落とす刷毛（９）や、それらに類するものが備わった容器であれば、角型や、長方形でもなんら問題はない。
（ト）  尚、消しカス捕集体（４）の左右の格納部（３）に装着するプラスチック字消し（５）や、整形片（６）は、簡単に挿入できる嵌め込み方式なので、これらの物が磨耗や、損傷した時には、予備品を用いて直ちに交換することができるので一層使い易くなった。
【符号の説明】
【０００９】１        スリーブ
２        間仕切り壁
３        格納部
４        消しかす捕集体
５        プラスチック字消し
６        整形片
７        摩擦吸着部
８        容器
９        刷毛
１０      消しカス収集器
【図１】
0003165520.tif 000003
【図２】
0003165520.tif 000004
(57)【要約】      （修正有）【課題】シンク内で簡単に早く食器を乾燥させる折りたたみ式食器乾燥用プレートを提供する。【解決手段】本体１はステンレス又は耐熱性の材質で食器乾燥用プレートの本体は全て同素材で形成される。本体１と折りたたみ部４の面とを上下に折れるようにする為、折りたたみ可能な蝶番３又は，折りたたみ可能な素材とする。折りたたみ部４は本体１の面より折りたたみによって食器入り洗い籠を囲む為の下に下ろす横の面、穴５は食器を乾かす為のヘアドライヤーの挿入用の穴であり、折りたたみ部４は使用中は下に下し使用後は本体１に重ねる。洗った食器をシンク内に置いた洗い籠に入れ、シンクの縁に本体の端の部分２をかけて本体１をのせ、折りたたみ部４を下向きにして籠を囲む。穴５にヘアドライヤーを挿入して温風で乾かす。【選択図】図１
0003165513.tif 000002
【実用新案登録請求の範囲】
【請求項１】
洗った食器をシンク内の洗い籠に入れて乾かす為の食器乾燥用プレートであり平板状の本体とそれに蝶番もしくは折りたたみ自在の材料によりつながった折りたたみ部より成り、平板状の本体はシンクの縁にのせることができる部分とコーナー部にヘアドライヤー挿入用の穴を備えたことを特徴とする折りたたみ乾燥用プレート。
【考案の詳細な説明】
【技術分野】
【０００１】本考案は洗った食器をシンクの内で乾かす用具に関する考案である。
【技術背景】
【０００２】従来はシンクの横の台上に洗った籠を置き、その内に洗った食器を入れて自然乾燥させた。又、電気式の食器乾燥器により洗った食器を乾燥させていた。
【考案の概要】
【考案が解決しようとする課題】
【０００３】従来の自然乾燥では洗い籠を台上に置くので場所をとり、なおかつ乾燥に長時間を要していた。また電気式乾燥器は高価で広い場所が必要であった。
【課題を解決する為の手段】
【０００４】本考案は洗った食器をすぐシンク内に置いた籠に入れて食器を並べその上に折りたたみ式乾燥用プレートを置き、その片方を下げて囲み、上部の穴より挿入したヘアドライヤーより温風を送る。
【考案の効果】
【０００５】乾燥時間は６分で乾く、場所をとらないシンク内で乾き安価である。
【図面の簡単な説明】
【０００６】
【図１】本考案の正面図で開いた時に上から見た図
【図２】本乾燥用プレートの閉じた時の斜視図
【図３】本乾燥用プレートの使用時の上から見た図
【図４】使用時を横から見た図
【考案を実施する為の形態】
【０００７】シンク内で洗った食器を同じシンク内で洗い籠に並べ入れシンクの縁にのせた折りたたみ式乾燥用プレートの片方のプレートを下方向に下して洗い籠を囲み、上部のプレートに開けてあるヘアドライヤーの挿入用の穴よりヘアドライヤーを挿入して温風で食器を乾かす。
【０００８】以下図面に従って実施例を説明する。
図１の本体１はステンレス又は耐熱性の材質で食器乾燥用プレートの本体は全て同素材で形成される。２はシンクの縁に重ねる本体の端の部分。３は本体１と折りたたみ部４の面とを上下に折れるようにする為、折りたたみ可能な蝶番又は，折りたたみ可能な素材とする。折りたたみ部４は本体１の面より折りたたみによって食器入り洗い籠を囲む為の下に下ろす横の面。穴５は食器を乾かす為のヘアドライヤーの挿入用の穴。
図２の折りたたみ部４は使用中は下に下し使用後は図１の本体１に重ねる。
図３は洗った食器をシンク内に置いた洗い籠７に入れ、シンクの縁に２をかけて１をのせ折りたたみ部４を下向きにして籠を囲む。５の穴にヘアドライヤーを挿入して温風で乾かす。
図４は図３を横から見た図である。
【０００９】乾燥全てが終わった時、図２のように折りたたみ部４を本体に重ねて上部、に物を置くことができる。又は折りたたんだプレート全体をシンクから外して他の場所に立て掛けておけるので、使い終わっても嵩張らない。
【００１０】３は蝶番の代わりに折りたたみ自在な材質としても良い。
【符号の説明】
【００１１】１  本体
２  シンクの縁に重ねる本体の端の部分
３  蝶番もしくは折りたたみ可能な素材
４  折りたたみ部
５  ヘアドライヤー挿入用の穴
６  シンク
７  洗い籠
８  皿
９  ヘアドライヤー
１０  蛇口
【図１】
0003165513.tif 000003
【図２】
0003165513.tif 000004
【図３】
0003165513.tif 000005
【図４】
0003165513.tif 000006